(57)【要約】【課題】表示面に表示される複数の画像のうちユーザーが所望の画像を、複数の画像上に表示させることができる表示装置、及び表示方法を提供する。【解決手段】表示装置２０は、表示部２３と、制御部２６とを備える。表示部２３は、表示面２３ａを有する。表示面２３ａに複数の画像Ｘが表示されている状態で、表示面２３ａがタッチ操作されると、制御部２６は、複数の画像Ｘのうち表示面２３ａのタッチ位置に位置する画像を選択画像ＰＡとして複製し、選択画像ＰＡが複数の画像Ｘの前面に表示されるように、表示部２３を制御する。【選択図】図１０
2020088648.tif 000002
【特許請求の範囲】
【請求項１】
画像を表示する表示面を有する表示部と、
前記表示部を制御する制御部と
を備え、
前記表示面に複数の画像が表示されている状態で、前記表示面がタッチ操作されると、前記制御部は、前記複数の画像のうち前記表示面のタッチ位置に表示されるタッチ画像を選択画像として複製し、前記選択画像が前記複数の画像の前面に表示されるように、前記表示部を制御する、表示装置。
【請求項２】
前記選択画像のサイズが、前記タッチ画像のサイズよりも大きくなるように、前記制御部が前記表示部を制御する、請求項１に記載の表示装置。
【請求項３】
前記表示面に前記複数の画像が表示されると、前記複数の画像の前面にＯＳＤ（Ｏｎ  Ｓｃｒｅｅｎ  Ｄｉｓｐｌａｙ）画像が表示されるように、前記制御部が前記表示部を制御し、
前記表示面に前記ＯＳＤ画像が表示されることで、前記制御部が前記タッチ位置を示す情報を取得する、請求項１又は請求項２に記載の表示装置。
【請求項４】
前記選択画像が前記ＯＳＤ画像の前面に表示されるように、前記制御部が前記表示部を制御する、請求項３に記載の表示装置。
【請求項５】
前記選択画像が表示されていない状態では、前記ＯＳＤ画像が透明になり、
前記選択画像が表示されている状態では、前記ＯＳＤ画像が半透明になるように、前記制御部が前記表示部を制御する、請求項４に記載の表示装置。
【請求項６】
前記選択画像が表示されている状態で、前記表示面がタッチ操作されると、前記表示面から前記選択画像が消去されると共に、前記ＯＳＤ画像が透明になるように、前記制御部が前記表示部を制御する、請求項５に記載の表示装置。
【請求項７】
前記選択画像のサイズの変更を受け付ける第１受付部をさらに備える、請求項１から請求項５のいずれか１項に記載の表示装置。
【請求項８】
前記選択画像の前記表示部上の位置の変更を受け付ける第２受付部をさらに備える、請求項１から請求項５のいずれか１項に記載の表示装置。
【請求項９】
前記表示面には、前記選択画像が表示されない非表示領域が形成され、
前記非表示領域は、複数の分割領域を含み、
前記複数の分割領域の各々には、前記複数の画像のうちのいずれかの画像が表示され、
前記表示面に前記選択画像が表示されている状態で、前記複数の分割領域のうちのいずれか１つの分割領域がタッチ操作されると、前記選択画像が、前記分割領域のタッチ位置に表示される画像の複製画像に変更されるように、前記制御部が前記表示部を制御する、請求項１から請求項５のいずれか１項に記載の表示装置。
【請求項１０】
端末機器に接続される接続部をさらに備え、
前記表示面には、前記選択画像が表示される表示領域が形成され、
前記表示面に前記選択画像が表示されている状態で、前記表示領域がタッチ操作されると、前記端末機器が前記接続部に画像データを送信し、
前記制御部は、前記接続部が前記画像データを受信すると、前記選択画像を前記画像データが示す画像に変更する、請求項１又は請求項２に記載の表示装置。
【請求項１１】
表示面に表示される画像の表示を制御する表示方法であって、
前記表示面に複数の画像が表示されている状態で、前記表示面がタッチ操作されると、前記複数の画像のうち前記表示面のタッチ位置に表示される画像が選択画像として複製され、前記選択画像が前記複数の画像の前面に表示される工程を含む、表示方法。
【請求項１２】
表示面に表示される画像の表示を制御するコンピュータに、
前記表示面に複数の画像が表示されている状態で、前記表示面がタッチ操作されると、前記複数の画像のうち前記表示面のタッチ位置に表示される画像を選択画像として複製して、前記選択画像を前記複数の画像の前面に表示させる、コンピュータプログラム。
【発明の詳細な説明】
【技術分野】
【０００１】
本発明は、表示装置、及び表示方法に関する。
【背景技術】
【０００２】
表示装置が特許文献１に開示されている。特許文献１に記載の表示装置は、１つの表示パネルに表示させる画像の信号を、複数のケーブルに分けて受信又は送信する。表示装置は、複数のケーブルで伝送される信号が示す複数の画像を表示する。表示装置は、並替部を備える。並替部は、複数の画像の並べ替えを行う。
【先行技術文献】
【特許文献】
【０００３】
【特許文献１】特開２０１３−１５３４１０号公報
【発明の概要】
【発明が解決しようとする課題】
【０００４】
しかし、例えば、表示装置が会議に使用される場合、ユーザーは、表示装置に表示される複数の画像のうちの１つの画像に着目して議論を進めたいことがあった。この場合、複数の画像のうちユーザーが所望の画像を，複数の画像の前面に表示させたいとする要望があった。
【０００５】
本発明は、表示面に表示される複数の画像のうちユーザーが所望の画像を，複数の画像の前面に表示させることができる表示装置、及び表示方法を提供する。
【課題を解決するための手段】
【０００６】
本発明の第１の局面によれば、表示装置は、表示部と、制御部とを備える。表示部は、画像を表示する表示面を有する。制御部は、前記表示部を制御する。前記表示面に複数の画像が表示されている状態で、前記表示面がタッチ操作されると、前記制御部は、前記複数の画像のうち前記表示面のタッチ位置に表示されるタッチ画像を選択画像として複製し、前記選択画像が前記複数の画像の前面に表示されるように、前記表示部を制御する。
【０００７】
本発明の第２の局面によれば、表示方法は、表示面に表示される画像を制御する。表示方法は、前記表示面に複数の画像が表示されている状態で、前記表示面がタッチ操作されると、前記複数の画像のうち、前記表示面のタッチ位置に表示される画像が選択画像として複製され、前記選択画像が前記複数の画像の前面に表示される工程を備える。
【０００８】
本発明の第３の局面によれば、コンピュータプログラムは、表示面に表示される画像の表示を制御するコンピュータに表示処理を実行させる。表示処理は、前記表示面に複数の画像が表示されている状態で、前記表示面がタッチ操作されると、前記複数の画像のうち前記表示面のタッチ位置に表示される画像を選択画像として複製して、前記選択画像を前記複数の画像の前面に表示させる処理である。
【発明の効果】
【０００９】
本発明の表示装置、及び表示方法によれば、表示面に表示される複数の画像のうちユーザーが所望の画像を，複数の画像の前面に表示させることができる。
【図面の簡単な説明】
【００１０】
【図１】本発明の第１実施形態に係る画像表示システムの構成を示すブロック図である。
【図２】端末機器の構成を示すブロック図である。
【図３】表示装置の構成を示すブロック図である。
【図４】制御部の動作を示す第１のフロー図である。
【図５】制御部の動作を示す第２のフロー図である。
【図６】１画面モードで動作している表示装置を示す図である。
【図７】１画面モード時の画像の階層を示す模式図である。
【図８】複数画面モードで動作している表示装置を示す第１の図である。
【図９】複数画面モード時の画像の階層を示す第１の模式図である。
【図１０】複数画面モードで動作している表示装置を示す第２の図である。
【図１１】複数画面モード時の画像の階層を示す第２の模式図である。
【図１２】選択画像のサイズが変更されている状態を示す第１の図である。
【図１３】（ａ）は、選択画像のサイズが変更されている状態を示す第２の図である。（ｂ）は、タッチ操作によるサイズ変更後の選択画像を示す図である。
【図１４】選択画像の位置が変更されている状態を示す第１の図である。
【図１５】（ａ）は、選択画像の位置が変更されている状態を示す第２の図である。（ｂ）は、タッチ操作による位置変更後の選択画像を示す図である。
【図１６】（ａ）は、第１画像変更処理が行われている状態を示す図である。（ｂ）は、第１画像変更処理後の選択画像を示す図である。
【図１７】（ａ）は、第２画像変更処理が行われている状態を示す図である。（ｂ）は、第２画像変更処理後の選択画像を示す図である。
【発明を実施するための形態】
【００１１】
本発明の実施形態について、図面を参照しながら説明する。なお、図中、同一又は相当部分については同一の参照符号を付して説明を繰り返さない。
【００１２】
［第１実施形態］
図１から図３を参照して、本発明の第１実施形態に係る画像表示システム１００について説明する。図１は、本発明の第１実施形態に係る画像表示システム１００の構成を示すブロック図である。
【００１３】
図１に示すように、画像表示システム１００は、複数の端末機器１０と、表示装置２０とを備える。
【００１４】
端末機器１０は、表示装置２０に接続されて、表示装置２０に画像データを出力する。端末機器１０は、例えば、ＰＣ（パーソナルコンピューター）、又は、スマートフォンのような情報処理装置である。
【００１５】
第１実施形態では、複数の端末機器１０は、第１端末機器１０Ａと、第２端末機器１０Ｂと、第３端末機器１０Ｃと、第４端末機器１０Ｄとで構成される。
【００１６】
表示装置２０は、端末機器１０から受信した画像データが示す画像を表示する。表示装置２０は、例えば、液晶ディスプレー又は有機ＥＬ（ｅｌｅｃｔｒｏｌｕｍｉｎｅｓｃｅｎｃｅ）ディスプレーである。表示装置２０は、複数の入力端子２１を有する。入力端子２１は、画像データを送信できる機器が接続される。入力端子２１は、例えば、Ｄ−ＳＵＢ端子、ＨＤＭＩ（登録商標）端子、又はＤｉｓｐｌａｙｐｏｒｔである。入力端子２１は、本発明の接続部の一例である。
【００１７】
第１実施形態では、複数の入力端子２１は、第１入力端子２１Ａと、第２入力端子２１Ｂと、第３入力端子２１Ｃと、第４入力端子２１Ｄとで構成される。
【００１８】
第１実施形態では、第１入力端子２１Ａには第１端末機器１０Ａが接続される。第２入力端子２１Ｂには第２端末機器１０Ｂが接続される。第３入力端子２１Ｃには第３端末機器１０Ｃが接続される。第４入力端子２１Ｄには第４端末機器１０Ｄが接続される。
【００１９】
表示装置２０は、画像を表示する。以下では、表示面２３ａ上で画像が表示される領域の境界を画像フレームと記載することがある。図１において、表示面２３ａには、複数の画像フレーム内に、それぞれ、複数の画像が表示される。複数の画像フレームは、例えば、第１画像フレームＸ１と、第２画像フレームＸ２と、第３画像フレームＸ３と、第４画像フレームＸ４とで構成される。
【００２０】
第１画像フレームＸ１内には、第１画像Ｐ１が表示される。第２画像フレームＸ２内には、第２画像Ｐ２が表示される。第３画像フレームＸ３内には、第３画像Ｐ３が表示される。第４画像フレームＸ４内には、第４画像Ｐ４が表示される。
【００２１】
第１画像Ｐ１は、第１端末機器１０Ａから出力された画像データが示す画像である。第２画像Ｐ２は、第２端末機器１０Ｂから出力された画像データが示す画像である。第３画像Ｐ３は、第３端末機器１０Ｃから出力された画像データが示す画像である。第４画像Ｐ４は、第４端末機器１０Ｄから出力された画像データが示す画像である。
【００２２】
第１実施形態では、表示装置２０は、第１端末機器１０Ａから第４端末機器１０Ｄの各々と有線接続されるが、本発明はこれに限定されない。表示装置２０は、第１端末機器１０Ａから第４端末機器１０Ｄの各々と無線接続されてもよい。
【００２３】
第１実施形態では、複数画面モードでは、４つの画像が表示されるが、本発明はこれに限定されない。複数画面モードでは、２つの画像、３つの画像、又は５つ以上の画像が表示されてもよい。
【００２４】
次に、図１及び図２を参照して、端末機器１０について説明する。図２は、端末機器１０の構成を示すブロック図である。
【００２５】
端末機器１０は、出力端子１１と、操作部１２と、記憶部１３と、制御部１４とを有する。
【００２６】
出力端子１１は、画像データを出力する。出力端子１１は、表示装置２０の入力端子２１に接続される。出力端子１１は、例えば、Ｄ−ＳＵＢ端子、ＨＤＭＩ（登録商標）端子、又はＤｉｓｐｌａｙｐｏｒｔである。
【００２７】
操作部１２は、端末機器１０に対する外部からの指示を受け付ける。操作部１２は、例えば、ポインティングデバイス、キーボード、及び／又は、タッチパネルを備える。
【００２８】
記憶部１３は、例えばＲＡＭ及びＲＯＭのような半導体メモリーを備える。さらに、記憶部１３は、ＨＤＤのようなストレージデバイスを備える。記憶部１３は、制御部１４が実行する制御プログラムを記憶する。
【００２９】
制御部１４は、例えばＣＰＵのようなプロセッサを備える。また、制御部１４（コンピューター）は、記憶部１３に記憶された制御プログラム（コンピュータープログラム）に基づいて、端末機器１０の動作を制御する。
【００３０】
次に、図１及び図３を参照して、表示装置２０について説明する。図３は、表示装置２０の構成を示すブロック図である。
【００３１】
図３に示すように、表示装置２０は、第１入力端子２１Ａから第４入力端子２１Ｄに加えて、入力端子切替部２２と、表示部２３と、操作部２４と、記憶部２５と、制御部２６とを備える。
【００３２】
入力端子切替部２２は、第１入力端子２１Ａから第４入力端子２１Ｄのうちの少なくとも１つの入力端子２１を選択して活性化させる。
【００３３】
表示部２３は、画像を表示する。表示部２３は、第１入力端子２１Ａから第４入力端子２１Ｄのうち活性化した入力端子２１が受信する画像を表示する。表示部２３は、タッチパネルとして機能する。
【００３４】
表示部２３は、表示面２３ａと、タッチセンサ２３ｂとを含む。表示面２３ａは、画像を表示すると共に、タッチ操作を受け付ける。タッチセンサ２３ｂは、表示面２３ａに対するタッチ操作の有無を検出すると共に、表示面２３ａ上のタッチ操作された座標を検出する。タッチセンサ２３ｂは、例えば、圧力センサ、静電容量センサ、又は光センサを含む。
【００３５】
タッチ操作は、表示面２３ａ上の所望の位置を特定するための操作である。タッチ操作は、表示面２３ａ上の所望の位置を特定する操作を示す。第１操作は、例えば、スワイプ操作、ピンチイン操作、ピンチアウト操作、ドラッグ操作、スライド操作、及び／又は、タップ操作を示す。
【００３６】
操作部２４は、表示装置２０に対する指示を受け付ける。操作部２４は、例えば、リモコン、表示装置２０の筐体に設けられる操作キー、及び／又はタッチパネルを含む。操作部２４は、ユーザーによって操作されて、ユーザーからの指示を受け付ける。操作部２４は、ユーザーの操作に応じた信号を制御部２６に出力する。その結果、制御部２６は、操作部２４が受け付けた操作に応じた動作を行う。
【００３７】
記憶部２５は、例えば、ＲＡＭ及びＲＯＭのような半導体メモリーを備える。さらに、記憶部２５は、ＨＤＤのようなストレージデバイスを備え得る。記憶部２５は、制御部２６が実行する制御プログラムを記憶する。
【００３８】
制御部２６は、例えば、ＣＰＵ又はＭＰＵのようなプロセッサを備える。また、制御部２６（コンピューター）は、記憶部２５に記憶された制御プログラム（コンピュータープログラム）に基づいて、表示装置２０の動作を制御する。
【００３９】
次に、図４から図１０を参照して、制御部２６の動作について説明する。図４は、制御部２６の動作を示す第１のフロー図である。図５は、制御部２６の動作を示す第２のフロー図である。
【００４０】
図４に示すように、ステップＳ１０において、表示装置２０は１画面モードで動作している。１画面モードでは、表示装置２０が単一の画像フレームが形成される。
【００４１】
図６は、１画面モードで動作している表示装置２０を示す図である。図７は、１画面モード時の画像の階層を示す模式図である。
【００４２】
図６及び図７に示すように、第１実施形態では、表示装置２０は、第１画像Ｐ１が表示された単数フレームＹを形成する。単数フレームＹは、１画面モード時に表示面２３ａに設定される画像フレームを示す。単数フレームＹは、例えば、表示面２３ａの略全域に形成される。この場合、複数の入力端子２１のうちのいずれか１つの入力端子２１が活性化される。その結果、単数フレームＹ内には、活性化された入力端子２１から受け付けた画像が表示される。
【００４３】
第１実施形態では、第１入力端子２１Ａが活性化される。その結果、単数フレームＹ内には、第１画像Ｐ１が表示される。
【００４４】
ユーザーは、操作部１２を操作して、活性化される入力端子２１を第１入力端子２１Ａから第４入力端子２１Ｄのうちのいずれかの入力端子２１に変更することで、単数フレームＹ内に表示される画像を第１画像Ｐ１から第４画像Ｐ４（図１参照）のうちのいずれかの画像に変更することが可能である。
【００４５】
図４に示すように、ステップＳ１１において、表示装置２０の動作モードを複数画面モードに変更する指示を操作部２４が受け付けたか否かを、制御部２６が判定する。
【００４６】
複数画面モードに変更する指示を操作部２４が受け付けたと制御部２６が判定すると（ステップＳ１１で、Ｙｅｓ）、処理がステップＳ１２に移行する。複数画面モードに変更する指示を操作部２４が受け付けることで、表示装置２０の動作モードが複数画面モードに移行する。
【００４７】
複数画面モードに変更する指示を操作部２４が受け付けていないと制御部２６が判定すると（ステップＳ１１で、Ｎｏ）、ステップＳ１１に示す処理が繰り返される。
【００４８】
図８は、複数画面モードで動作している表示装置２０を示す第１の図である。図９は、複数画面モード時の画像の階層を示す第１の模式図である。複数画面モードでは、第１入力端子２１Ａから第４入力端子２１Ｄが活性化される。
【００４９】
図４、図８、及び図９に示すように、ステップＳ１２において、制御部２６は、記憶部１３内に複数の画像Ｘを生成する。第１実施形態では、複数の画像Ｘは、第１画像Ｐ１から第４画像Ｐ４で構成される。
【００５０】
ステップＳ１３において、表示部２３が複数の画像Ｘ（第１画像Ｐ１から第４画像Ｐ４）を表示するように、制御部２６が表示部２３を制御する。その結果、表示部２３の表示面２３ａに複数の画像Ｘが表示される。
【００５１】
複数の画像Ｘにおいて、第１画像Ｐ１から第４画像Ｐ４は、所定の配列で表示面２３ａに表示される。第１実施形態では、第１画像Ｐ１から第４画像Ｐ４は、表示面２３ａに時計回りに配列される。また、第１画像フレームＸ１から第４画像フレームＸ４の各々は、表示面２３ａの略四分の一のサイズに形成される。第１画像フレームＸ１から第４画像フレームＸ４には、それぞれ、第１画像Ｐ１から第４画像Ｐ４が表示される。その結果、表示面２３ａの略全域に第１画像Ｐ１から第４画像Ｐ４が表示される。
【００５２】
ステップＳ１４において、第１画像Ｐ１から第４画像Ｐ４の前面に透明ＯＳＤＶ１が表示されるように、制御部２６が表示部２３を制御する。その結果、表示部２３の表示面２３ａに第１オブジェクトＱ１が表示される。前面は、表示面２３ａに対して、表示面２３ａを視認しているユーザー側を示す。
【００５３】
第１オブジェクトＱ１は、第１画像Ｐ１から第４画像Ｐ４の前面に透明ＯＳＤＶ１を重ね合わせたオブジェクトを示す。透明ＯＳＤＶ１は、第１画像Ｐ１から第４画像Ｐ４の略全域を覆うように表示される。
【００５４】
透明ＯＳＤＶ１は、透明のＯＳＤ（Ｏｎ  Ｓｃｒｅｅｎ  Ｄｉｓｐｌａｙ）を示す。ＯＳＤは、一般的には、表示装置２０の設定を入力するための入力欄を表示する。表示装置２０の設定は、例えば、表示面２３ａの明るさの設定を示す。
【００５５】
表示面２３ａを視認するユーザー側から見て、透明ＯＳＤＶ１は、第１画像Ｐ１から第４画像Ｐ４よりもユーザー側（前面）に位置する。
【００５６】
透明ＯＳＤＶ１は、透明である。従って、表示面２３ａに第１オブジェクトＱ１が表示された場合、表示面２３ａには原色の第１画像Ｐ１から第４画像Ｐ４が表示される。原色の第１画像Ｐ１から第４画像Ｐ４は、第１画像Ｐから第４画像Ｐ４の色が変更されていないことを示す。その結果、表示面２３ａに第１オブジェクトＱ１が表示された場合、ユーザーは、原色の第１画像Ｐ１から第４画像Ｐ４を視認する。
【００５７】
以下では、ＯＳＤの機能について説明する。
【００５８】
表示面２３ａにＯＳＤが表示されている状態で、表示面２３ａがタッチ操作されると、タッチ座標を示す情報が、表示装置２０に送信される。従って、表示装置２０の制御部２６が、タッチ座標を示す情報を取得する。その結果、表示装置２０の制御部２６は、タッチ座標を認識することができる。タッチ座標は、表示面２３ａ上のタッチ操作された座標を示す。
【００５９】
これに対し、表示面２３ａにＯＳＤが表示されていない状態で、表示面２３ａがタッチ操作されると、タッチ座標を示す情報が、表示装置２０を介して端末機器１０に送信される。従って、端末機器１０の制御部１４は、タッチ座標を示す情報を取得する。その結果、端末機器１０の制御部１４は、タッチ座標を認識することができる。
【００６０】
第１実施形態では、複数画面モードの状態で、表示装置２０にタッチ座標を認識させるために、第１画像Ｐ１から第４画像Ｐ４の前面に透明ＯＳＤＶ１が表示される。
【００６１】
なお、図８において、第１画像Ｐ１〜第４画像Ｐ４は、透明ＯＳＤＶ１で覆われているが、実線で表示している。また、図９において、第１画像Ｐ１〜第４画像Ｐ４のうち、透明ＯＳＤＶ１と重なる部分は点線で表示し、透明ＯＳＤＶ１と重ならない部分は実線で表示している。
【００６２】
図４に示すステップＳ１４が終了すると、処理が図５に示すステップＳ１５に移行する。
【００６３】
図５及び図８に示すように、ステップＳ１５において、複数画面モードを終了する指示を操作部２４が受け付けたか否かを、制御部１４が判定する。複数画面モードを終了する指示は、言い換えれば、複数画面モードから１画面モードに切り替える指示を示す。
【００６４】
複数画面モードを終了する指示を操作部２４が受け付けたと制御部１４が判定すると（ステップＳ１５で、Ｙｅｓ）、処理が図４に示すステップＳ１０に移行する。その結果、制御部２６は、表示面２３ａに表示されるオブジェクトを、図８及び図９に示す第１オブジェクトＱ１から、図６及び図７に示す第１画像Ｐ１に変更する。
【００６５】
複数画面モードを終了する指示を操作部２４が受け付けていないと制御部１４が判定すると（ステップＳ１５で、Ｎｏ）、処理がステップＳ１６に移行する。
【００６６】
ステップＳ１６において、タッチセンサ２３ｂの検出結果に基づいて、表示面２３ａに対するタッチ操作が行われたか否かを制御部２６が判定する。
【００６７】
表示面２３ａに対するタッチ操作が行われたと制御部２６が判定すると（ステップＳ１６で、Ｙｅｓ）、処理がステップＳ１７に移行する。第１実施形態では、ユーザーの手Ｈが、表示面２３ａのうち第２画像Ｐ２が位置する場所をタッチ操作する。
【００６８】
表示面２３ａに対するタッチ操作が行われていないと制御部２６が判定すると（ステップＳ１６で、Ｎｏ）、処理がステップＳ１５に移行する。
【００６９】
ステップＳ１７において、制御部２６は、タッチセンサ２３ｂからタッチ座標を示す情報を取得する。タッチ座標は、本発明のタッチ位置の一例である。
【００７０】
ステップＳ１８において、制御部２６は、タッチ座標に基づいて選択画像ＰＡを生成する。第１実施形態では、制御部２６は、表示面２３ａのタッチ座標上に表示される画像を、選択画像ＰＡとして複製することで、選択画像ＰＡを生成する。第１実施形態では、タッチ座標上には、第２画像Ｐ２が位置する。従って、制御部２６は、第２画像Ｐ２を選択画像ＰＡとして複製する。「画像を複製する」には、複製元の画像と同一の画像を生成することのみならず、複製元の画像と相似の画像を生成することも含まれる。
【００７１】
ステップＳ１８に示す処理が終了すると、処理がステップＳ１９に移行する。
【００７２】
図１０は、複数画面モードで動作している表示装置２０を示す第２の図である。図１１は、複数画面モード時の画像の階層を示す第２の模式図である。
【００７３】
図５、図１０及び図１１に示すように、ステップＳ１９において、制御部２６は、記憶部１３内に選択画像フレームＺを生成する。選択画像フレームＺ内には、選択画像ＰＡが形成される。第１実施形態では、選択画像フレームＺ内には、第２画像Ｐ２の複製画像が選択画像ＰＡとして配置される。第１実施形態では、選択画像フレームＺ内において、選択画像ＰＡの周囲には、非透過画像が表示される。非透過画像は、非透過画像の後面側の画像を透過しない画像を示す。非透過画像は、例えば、白色又は黒色の単色画像である。なお、非透過画像の色は特に限定されない。選択画像フレームＺ内では、非透過画像により複数の画像Ｘが透過しない。従って、ユーザーは、選択画像ＰＡを視認しやすくなる。なお、選択画像フレームＺ内において、選択画像ＰＡの周囲には、透明又は半透明の透過画像が表示されてもよい。
【００７４】
第１実施形態では、選択画像ＰＡのサイズは、第２画像フレームＸ２内に形成される第２画像Ｐ２のサイズよりも大きい。従って、ユーザーは、選択画像ＰＡを容易に確認することができる。
【００７５】
ステップＳ２０において、表示面２３ａに表示される透明ＯＳＤＶ１（図９参照）が半透明ＯＳＤＶ２に変更されるように、制御部２６が表示部２３を制御する。その結果、透明ＯＳＤＶ１が半透明ＯＳＤＶ２に変更される。半透明ＯＳＤＶ２は、半透明のＯＳＤを示す。
【００７６】
表示面２３ａを視認するユーザー側から見て、半透明ＯＳＤＶ２は、第１画像Ｐ１から第４画像Ｐ４よりもユーザー側（前面）に位置する。
【００７７】
透明ＯＳＤＶ１は、本発明の透明のＯＳＤ画像の一例である。半透明ＯＳＤＶ２は、本発明の半透明のＯＳＤ画像の一例である。本発明のＯＳＤ画像には、ＯＳＤ（Ｏｎ  Ｓｃｒｅｅｎ  Ｄｉｓｐｌａｙ）のみならず、ＯＳＤと同等の機能を有するものも含まれる。
【００７８】
ステップＳ２１において、半透明ＯＳＤＶ２の前面に選択画像ＰＡが表示されるように、制御部２６が表示部２３を制御する。その結果、表示部２３の表示面２３ａに第２オブジェクトＱ２が表示される。
【００７９】
第２オブジェクトＱ２は、第１画像Ｐ１から第４画像Ｐ４の前面に半透明ＯＳＤＶ２が重ね合わされ、さらに、半透明ＯＳＤＶ２の前面に選択画像ＰＡが重ね合わされたオブジェクトを示す。第１実施形態では、第２オブジェクトＱ２において、選択画像ＰＡは、表示面２３ａの中央部に配置される。
【００８０】
表示面２３ａを視認するユーザー側から見て、選択画像ＰＡは、半透明ＯＳＤＶ２よりもユーザー側（前面）に位置する。
【００８１】
半透明ＯＳＤＶ２は、半透明である。従って、表示面２３ａに第２オブジェクトＱ２が表示された場合、表示面２３ａには原色の第１画像Ｐ１から第４画像Ｐ４が表示されず、原色よりも明度が低い第１画像Ｐ１から第４画像Ｐ４が表示される。原色よりも明度が低いことは、第１画像Ｐ１から第４画像Ｐ４の色が半透明ＯＳＤＶ２により変更されていることを示す。その結果、表示面２３ａに第２オブジェクトＱ２が表示された場合、ユーザーは、原色よりも明度が低い第１画像Ｐ１から第４画像Ｐ４を視認する。
【００８２】
また、選択画像ＰＡは、半透明ＯＳＤＶ２の前面に表示される。この場合、選択画像ＰＡの色は、半透明ＯＳＤＶ２に影響を受けない。従って、表示面２３ａに第２オブジェクトＱ２が表示された場合、表示面２３ａには原色の選択画像ＰＡが表示される。原色の選択画像ＰＡは、選択画像ＰＡの色が変更されていないことを示す。その結果、表示面２３ａに第２オブジェクトＱ２が表示された場合、ユーザーは、原色の選択画像ＰＡを視認する。
【００８３】
ステップＳ２２において、制御部２６は、タッチセンサ２３ｂの検出結果に基づいて、表示面２３ａに対するタッチ操作が行われたか否かを判定する。
【００８４】
表示面２３ａに対するタッチ操作が行われたと制御部２６が判定すると（ステップＳ２２で、Ｙｅｓ）、処理がステップＳ２４に移行する。第１実施形態では、ユーザーの手Ｈが、表示面２３ａのうち第２画像Ｐ２が位置する場所をタッチ操作する。なお、表示面２３ａのうちタッチ操作される場所は、特に限定されない。
【００８５】
表示面２３ａに対するタッチ操作が行われていないと制御部２６が判定すると（ステップＳ２２で、Ｎｏ）、処理がステップＳ２３に移行する。
【００８６】
ステップＳ２３において、複数画面モードを終了する指示を操作部２４が受け付けたか否かを、制御部１４が判定する。
【００８７】
複数画面モードを終了する指示を操作部２４が受け付けたと制御部１４が判定すると（ステップＳ２３で、Ｙｅｓ）、処理が図４に示すステップＳ１０に移行する。
【００８８】
複数画面モードを終了する指示を操作部２４が受け付けていないと制御部１４が判定すると（ステップＳ２３で、Ｎｏ）、処理がステップＳ２２に移行する。
【００８９】
ステップＳ２４において、表示面２３ａから選択画像ＰＡが消去されるように、制御部２６が表示部２３を制御する。その結果、表示面２３ａから選択画像ＰＡが消去される。
【００９０】
ステップＳ２５において、表示面２３ａに表示される半透明ＯＳＤＶ２が透明ＯＳＤＶ１に変更されるように、制御部２６が表示部２３を制御する。その結果、表示面２３ａに表示されるオブジェクトが第２オブジェクトＱ２から、図８及び図９に示す第１オブジェクトＱ１に変更される。ステップＳ２５に示す処理が終了すると、処理が図５に示すステップＳ１５に移行する。
【００９１】
以上、図４から図１０を参照して説明したように、ステップＳ１６〜ステップＳ２１において、表示面２３ａに第１画像Ｐ１〜第４画像Ｐ４が表示されている状態で、表示面２３ａがタッチ操作されると、第１画像Ｐ１〜第４画像Ｐ４の前面に選択画像ＰＡが表示される。この場合、タッチ座標上に表示される画像が選択画像ＰＡとして複製される。従って、ユーザーは、第１画像Ｐ１〜第４画像Ｐ４のうち、所望の画像をタッチ操作することで、所望の画像を第１画像Ｐ１〜第４画像Ｐ４上に表示させることができる。
【００９２】
また、ステップＳ２０において、透明ＯＳＤＶ１が半透明ＯＳＤＶ２に変更されるので、表示面２３ａには、変色した第１画像Ｐ１〜第４画像Ｐ４上に、原色の選択画像ＰＡが表示される。従って、ユーザーは、選択画像ＰＡを容易に確認することができると共に、第１画像Ｐ１〜第４画像Ｐ４も確認することができる。
【００９３】
また、ユーザーは、表示面２３ａに対するタッチ操作により選択画像ＰＡを決定するので、直感的な操作により選択画像ＰＡを決定することができる。
【００９４】
また、ステップＳ２２において、表示面２３ａに選択画像ＰＡが表示されている状態で、表示面２３ａがタッチ操作されると、表示面２３ａに第１オブジェクトＱ１が表示される。従って、この状態から選択画像ＰＡが消去されても第１画像Ｐ１〜第４画像Ｐ４の並び順が変更されない。
【００９５】
［第２実施形態］
次に、図１２から図１３（ｂ）を参照して、本発明の第２実施形態に係る画像表示システム１００について説明する。
【００９６】
第２実施形態では、図１０及び図１１に示す選択画像ＰＡのサイズを変更可能な点が第１実施形態と異なる。
【００９７】
図１２を参照して、選択画像ＰＡのサイズが変更される処理の一例について説明する。なお、選択画像ＰＡのサイズは、言い換えれば、選択画像フレームＺのサイズを示す。
【００９８】
図１２は、選択画像ＰＡのサイズが変更されている状態を示す第１の図である。
【００９９】
図１２に示すように、ユーザーは、例えば、操作部２４（図３参照）からサイズ変更指示を入力する。サイズ変更指示は、選択画像ＰＡのサイズを変更する指示を示す。操作部２４は、本発明の第１受付部の一例である。
【０１００】
操作部２４からサイズ変更指示が入力されると、表示面２３ａに第１メニュー画面Ｖ３が表示されるように、制御部２６が表示部２３を制御する。その結果、表示面２３ａに第１メニュー画面Ｖ３が表示される。
【０１０１】
第１メニュー画面Ｖ３は、ＯＳＤに表示される。第１メニュー画面Ｖ３は、選択画像ＰＡの前面に表示される。第１メニュー画面Ｖ３には、サイズ入力欄Ｌが表示される。サイズ入力欄Ｌには、サイズ情報を入力可能である。サイズ情報は、ユーザーが所望する選択画像ＰＡのサイズを示す。
【０１０２】
第２実施形態では、サイズ情報は、選択画像ＰＡの幅のサイズと、選択画像ＰＡの高さのサイズとを示す。幅のサイズは、第２実施形態では、左右方向のサイズを示す。高さのサイズは、第２実施形態では、上下方向のサイズを示す。
【０１０３】
制御部２６は、選択画像ＰＡのサイズを、サイズ入力欄Ｌに入力されたサイズ情報に従ったサイズに変更する。その結果、選択画像ＰＡのサイズをユーザーの所望のサイズに変更することができる。
【０１０４】
図１３（ａ）及び図１３（ｂ）を参照して、選択画像ＰＡのサイズが変更される処理の二例について説明する。
【０１０５】
図１３（ａ）は、選択画像ＰＡのサイズが変更されている状態を示す第２の図である。図１３（ａ）に示すように、表示面２３ａに第２オブジェクトＱ２が表示されている状態において、表示面２３ａには、表示領域αと、非表示領域βとが形成される。表示領域αは、表示面２３ａに第２オブジェクトＱ２が表示されている状態において、表示面２３ａのうち選択画像ＰＡが表示されている領域を示す。言い換えれば、表示領域αは、表示面２３ａのうち選択画像フレームＺの内側の領域を示す。非表示領域βは、表示面２３ａに第２オブジェクトＱ２が表示されている状態において、表示面２３ａのうち選択画像ＰＡが表示されていない領域を示す。言い換えれば、非表示領域βは、表示面２３ａのうち選択画像フレームＺの外側の領域を示す。非表示領域βには、半透明ＯＳＤＶ２が表示されている。
【０１０６】
図１３（ａ）に示すように、表示領域αがユーザーの手Ｈによりタッチ操作されている。表示領域αがタッチ操作されることで、選択画像ＰＡのサイズが変更される。タッチ操作を受け付けるタッチセンサ２３ｂ（図３参照）は、本発明の第１受付部の二例である。
【０１０７】
図１３（ｂ）は、タッチ操作によるサイズ変更後の選択画像ＰＡを示す図である。図１３（ｂ）に示す選択画像ＰＡは、図１３（ａ）に示す選択画像ＰＡよりもサイズが小さい。
【０１０８】
図１３（ａ）及び図１３（ｂ）に示すように、表示領域αがタッチ操作されると、制御部２６は、タッチ座標の変化量に基づいて、選択画像ＰＡのサイズを変更する。選択画像ＰＡのサイズの変更量は、タッチ座標の変化量に応じて決定される。
【０１０９】
第２実施形態では、タッチ操作は、スワイプ操作である。この場合、選択画像ＰＡの一の角部ＰＡ１が他の角部ＰＡ２に近接するように選択画像ＰＡがスワイプ操作されると、選択画像ＰＡのサイズが縮小する。また、選択画像ＰＡの一の角部ＰＡ１が他の角部ＰＡ２から離間するように選択画像ＰＡがスワイプ操作されると、選択画像ＰＡのサイズが拡大する。
【０１１０】
選択画像ＰＡのサイズを変更するためのタッチ操作は、スワイプ操作に限定されない。例えば、選択画像ＰＡに対してピンチイン操作、又はピンチアウト操作がなされたときに、選択画像ＰＡのサイズが変更されてもよい。この場合、選択画像ＰＡに対してピンチイン操作がされると、選択画像ＰＡのサイズが縮小する。また、選択画像ＰＡに対してピンチアウト操作がされると、選択画像ＰＡのサイズが拡大する。
【０１１１】
以上、図１３（ａ）及び図１３（ｂ）を参照して説明したように、タッチ操作により選択画像ＰＡのサイズを変更することができる。その結果、選択画像ＰＡのサイズをユーザーの所望のサイズに変更することができる。
【０１１２】
なお、非表示領域βがタッチ操作されると、制御部２６は、表示面２３ａに表示されるオブジェクトを、第２オブジェクトＱ２から、図８及び図９に示す第１オブジェクトＱ１に変更する。
【０１１３】
［第３実施形態］
次に、図１４から図１５（ｂ）を参照して、本発明の第３実施形態に係る画像表示システム１００について説明する。
【０１１４】
第３実施形態では、図１０及び図１１に示す選択画像ＰＡの位置を変更可能な点が第１実施形態と異なる。
【０１１５】
図１４を参照して、選択画像ＰＡの位置が変更される処理の一例について説明する。なお、選択画像ＰＡの位置は、言い換えれば、選択画像フレームＺの位置を示す。
【０１１６】
図１４は、選択画像ＰＡの位置が変更されている状態を示す第１の図である。
【０１１７】
図１４に示すように、ユーザーは、例えば、操作部２４（図３参照）から位置変更指示を入力する。位置変更指示は、選択画像ＰＡの位置を変更する指示を示す。操作部２４は、本発明の第２受付部の一例である。
【０１１８】
操作部２４から位置変更指示が入力されると、表示面２３ａに第２メニュー画面Ｖ４が表示されるように、制御部２６が表示部２３を制御する。その結果、表示面２３ａに第２メニュー画面Ｖ４が表示される。
【０１１９】
第２メニュー画面Ｖ４は、ＯＳＤに表示される。第２メニュー画面Ｖ４は、選択画像ＰＡの前面に表示される。第２メニュー画面Ｖ４には、位置入力欄Ｍが表示される。位置入力欄Ｍには、位置情報を入力可能である。位置情報は、ユーザーが所望する選択画像ＰＡの位置を示す。
【０１２０】
第３実施形態では、位置情報は、選択画像ＰＡの表示面２３ａ上でのＸ座標と、選択画像ＰＡの表示面２３ａ上でのＹ座標とを示す。
【０１２１】
制御部２６は、選択画像ＰＡの位置を、位置入力欄Ｍに入力された位置情報に従った位置に変更する。その結果、選択画像ＰＡをユーザーの所望の位置に移動させることができる。
【０１２２】
図１５（ａ）及び図１５（ｂ）を参照して、選択画像ＰＡの位置が変更される処理の二例について説明する。
【０１２３】
図１５（ａ）は、選択画像ＰＡの位置が変更されている状態を示す第２の図である。図１５（ａ）に示すように、表示領域αがユーザーの手Ｈによりタッチ操作されている。表示領域αがタッチ操作されることで、選択画像ＰＡの位置が変更される。タッチ操作を受け付けるタッチセンサ２３ｂ（図３参照）は、本発明の第２受付部の二例である。
【０１２４】
図１５（ｂ）は、タッチ操作による位置変更後の選択画像ＰＡを示す図である。図１５（ｂ）に示す選択画像ＰＡは、図１５（ａ）に示す位置から左上に移動している。
【０１２５】
図１５（ａ）及び図１５（ｂ）に示すように、表示領域αがタッチ操作されると、制御部２６は、タッチ座標の変化量に基づいて選択画像ＰＡの位置を変更する。選択画像ＰＡの位置の変更量は、タッチ座標の変化量に応じて決定される。
【０１２６】
第３実施形態では、タッチ操作は、スワイプ操作である。この場合、選択画像ＰＡは、スワイプ操作された方向に移動する。
【０１２７】
以上、図１５（ａ）及び図１５（ｂ）を参照して説明したように、タッチ操作により選択画像ＰＡを移動させることができる。その結果、選択画像ＰＡをユーザーの所望の位置に移動させることができる。
【０１２８】
なお、非表示領域βがタッチ操作されると、制御部２６は、表示面２３ａに表示されるオブジェクトを、第２オブジェクトＱ２から、図８及び図９に示す第１オブジェクトＱ１に変更する。
【０１２９】
［第４実施形態］
図１６（ａ）及び図１６（ｂ）を参照して、本発明の第４実施形態に係る画像表示システム１００について説明する。
【０１３０】
第４実施形態では、第１画像変更処理が行われる点が第１実施形態と異なる。第１画像変更処理は、選択画像ＰＡを複数の画像Ｘのうちのいずれかの画像の複製画像に変更する処理を示す。第４実施形態では、複数の画像Ｘは、第１画像Ｐ１〜第４画像Ｐ４を示す。複製画像は、複製元の画像を複製することによって生成される画像を示す。
【０１３１】
図１６（ａ）及び図１６（ｂ）を参照して、第１画像変更処理について説明する。
【０１３２】
図１６（ａ）は、第１画像変更処理が行われている状態を示す図である。図１６（ｂ）は、第１画像変更処理後の選択画像ＰＡを示す図である。
【０１３３】
図１６（ａ）に示すように、非表示領域βには、複数の分割領域βＸが形成される。複数の分割領域βＸの各々には、第１画像Ｐ１から第４画像Ｐ４のうちのいずれかの画像が表示される。
【０１３４】
第４実施形態では、複数の分割領域βＸは、第１分割領域βＸ１〜第４分割領域βＸ４で構成される。第１分割領域βＸ１には、第１画像Ｐ１が表示される。第２分割領域βＸ２には、第２画像Ｐ２が表示される。第３分割領域βＸ３には、第３画像Ｐ３が表示される。第４分割領域βＸ４には、第４画像Ｐ４が表示される。
【０１３５】
第４実施形態では、選択画像ＰＡが第２画像Ｐ２の複製画像である。
【０１３６】
図１６（ａ）及び図１６（ｂ）に示すように、第１分割領域βＸ１がタッチ操作されると、第１画像Ｐ１の複製画像が選択画像フレームＺ内に表示されるように、制御部２６が表示部２３を制御する。その結果、選択画像ＰＡが、第２画像Ｐ２の複製画像から第１画像Ｐ１の複製画像に変更される。
【０１３７】
以上、図１６（ａ）及び図１６（ｂ）を参照して説明したように、表示面２３ａに選択画像ＰＡが表示されている状態で、複数の分割領域βＸのうちのいずれか１つの分割領域βＸがタッチ操作されると、選択画像フレームＺ内に表示される画像が、分割領域βＸのタッチ座標上の画像の複製画像に変更される。その結果、ユーザーは、選択画像ＰＡを、第１画像Ｐ１の複製画像〜第４画像Ｐ４の複製画像のうちから容易に変更することができる。
【０１３８】
なお、表示領域αがタッチ操作されると、制御部２６は、表示面２３ａに表示されるオブジェクトを、第２オブジェクトＱ２から、図８及び図９に示す第１オブジェクトＱ１に変更する。
【０１３９】
［第５実施形態］
図１７（ａ）及び図１７（ｂ）を参照して、本発明の第５実施形態に係る画像表示システム１００について説明する。
【０１４０】
第５実施形態では、第２画像変更処理が行われる点が第１実施形態と異なる。第２画像変更処理は、選択画像ＰＡを第１画像Ｐ１の複製画像〜第４画像Ｐ４の複製画像以外の画像に変更する処理を示す。
【０１４１】
図１７（ａ）及び図１７（ｂ）を参照して、第２画像変更処理について説明する。
【０１４２】
図１７（ａ）は、第２画像変更処理が行われている状態を示す図である。図１７（ｂ）は、第２画像変更処理後の選択画像ＰＡを示す図である。
【０１４３】
図１７（ａ）に示すように、表示領域αがユーザーの手Ｈによりタッチ操作されている。表示領域αがタッチ操作されることで、第２画像変更処理が行われる。
【０１４４】
第４実施形態では、表示領域αがタッチ操作されると、タッチ座標を示す情報が表示装置２０を介して対象端末機器に送信される。対象端末機器は、表示装置２０に対して選択画像ＰＡの画像データを送信した端末機器１０を示す。
【０１４５】
第４実施形態では、選択画像ＰＡが第２画像Ｐ２の複製画像であり、対象端末機器が第２端末機器１０Ｂである。
【０１４６】
以下では、図１７（ａ）及び図１７（ｂ）を参照して、複数の画像Ｘの前面に表示される選択画像ＰＡが変更される手順について説明する。
【０１４７】
図１７（ａ）に示すように、表示領域αがタッチ操作されると、タッチ座標を示す情報が第２端末機器１０Ｂに送信される。そして、第２端末機器１０Ｂの制御部１４は、タッチ座標を示す情報を受信すると、表示装置２０に対して第２画像Ｐ２とは異なる第５画像Ｐ５の画像データを送信する。そして、図１７（ｂ）に示すように、表示装置２０の制御部２６は、第５画像Ｐ５の画像データを受信すると、選択画像ＰＡを第２画像Ｐ２の複製画像から第５画像Ｐ５に変更する。
【０１４８】
以上、図１７（ａ）及び図１７（ｂ）を参照して説明したように、表示面２３ａに選択画像ＰＡが表示されている状態で、表示領域αがタッチ操作されると、選択画像ＰＡが、第２端末機器１０Ｂから送信された第５画像Ｐ５に変更される。その結果、ユーザーは、選択画像ＰＡを、第１画像Ｐ１の複製画像〜第４画像Ｐ４の複製画像以外の画像に容易に変更することができる。
【０１４９】
なお、非表示領域βがタッチ操作されると、タッチ座標を示す情報が表示装置２０に送信される。この場合、表示装置２０の制御部２６は、表示面２３ａに表示されるオブジェクトを、第２オブジェクトＱ２から、図８及び図９に示す第１オブジェクトＱ１に変更する。
【０１５０】
以上、図面（図１〜図１７（ｂ））を参照しながら本発明の実施形態について説明した。但し、本発明は、上記の実施形態に限られるものではなく、その要旨を逸脱しない範囲で種々の態様において実施することが可能である。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【産業上の利用可能性】
【０１５１】
本発明は、表示装置、及び表示方法の分野に利用可能である。
【符号の説明】
【０１５２】
１０    端末機器
２０    表示装置
２３    表示部
２３ａ  表示面
２３ｂ  タッチセンサ（第１受付部、第２受付部）
２４    操作部（第１受付部、第２受付部）
２６    制御部
ＰＡ    選択画像
Ｖ１    透明ＯＳＤ
Ｖ２    半透明ＯＳＤ
Ｚ      選択画像フレーム
α      表示領域
β      非表示領域
βＸ    分割領域
【図１】
2020088648.tif 000003
【図２】
2020088648.tif 000004
【図３】
2020088648.tif 000005
【図４】
2020088648.tif 000006
【図５】
2020088648.tif 000007
【図６】
2020088648.tif 000008
【図７】
2020088648.tif 000009
【図８】
2020088648.tif 000010
【図９】
2020088648.tif 000011
【図１０】
2020088648.tif 000012
【図１１】
2020088648.tif 000013
【図１２】
2020088648.tif 000014
【図１３】
2020088648.tif 000015
【図１４】
2020088648.tif 000016
【図１５】
2020088648.tif 000017
【図１６】
2020088648.tif 000018
【図１７】
2020088648.tif 000019